(57)【要約】【課題】  カメラの姿勢により、オートフォーカス制御や視線検出方法を切り替えるカメラにおいて、オートフォーカス制御は、撮影釦のオン中でもカメラの姿勢に応じて切り替えるが、視線検出方法は、撮影釦オン中は、カメラの姿勢で切り替えない様にし、オートフォーカス制御は、連写中でも姿勢に応じたオートフォーカス制御ができ、視線検出は、連写中は連写開始時の姿勢に応じて視線検出するので、撮影者が連写中にファインダーを覗きながらカメラの姿勢を変えても視線検出を正常に行うことができる。【解決手段】  カメラの姿勢を検出する姿勢検出手段を持ち、カメラの姿勢により、オートフォーカス制御や視線検出方法を切り替えるカメラにおいて、オートフォーカス制御は、撮影釦のオン中でもカメラの姿勢に応じて切り替えるが、視線検出方法は、撮影釦オン中は、カメラの姿勢で切り替えないことを特徴としたカメラ。【選択図】        図１
2005227448.tif 000002
【特許請求の範囲】
【請求項１】
カメラの姿勢を検出する姿勢検出手段を持ち、カメラの姿勢により少なくとも２つ以上の複数の操作を切り替えるカメラにおいて、撮影釦オン中は上記複数の操作のうち、任意の操作のみ撮影釦がオンされたときの姿勢情報を維持して、姿勢差による操作の切り替えを禁止することを特徴としたカメラ。
【請求項２】
カメラの姿勢により、オートフォーカス制御や視線検出方法を切り替える請求項１のカメラにおいて、オートフォーカス制御は、撮影釦のオン中でもカメラの姿勢に応じて切り替えるが、視線検出方法は、撮影釦オン中は、カメラの姿勢で切り替えないことを特徴としたカメラ。
【請求項３】
カメラの姿勢により、オートフォーカス制御や操作釦の役割を切り替える請求項１のカメラにおいて、オートフォーカス制御は、撮影釦のオン中でもカメラの姿勢に応じて切り替えるが、操作釦の役割は、撮影釦オン中は、カメラの姿勢で切り替えないことを特徴としたカメラ。
【請求項４】
カメラの姿勢を検出する姿勢検出手段を持ち、カメラの姿勢により操作釦の役割を切り替えるカメラにおいて、撮影準備釦のオン中又は、撮影釦のオン中は、撮影準備釦又は、撮影釦がオンされたときの姿勢情報を維持して、姿勢差による操作釦の役割を切り替えないことを特徴としたカメラ。
【発明の詳細な説明】
【技術分野】
【０００１】
本発明は、姿勢検出手段を持ったカメラに関するものである。
【背景技術】
【０００２】
従来より、カメラ内にカメラの姿勢を検出する手段を持ち、カメラの姿勢情報によりオートフォーカス制御や視線検出の判定方法を変えてきた。例えば、オートフォーカス制御では、カメラが縦位置の時は、人物撮影を考慮して画面下側の近距離には、主被写体以外のものが存在する可能性が高いので、極力画面下側にピントが合わないように、カメラ縦位置での画面下側の近距離での信頼性を低くしている。また、視線検出においては、カメラの姿勢差に応じて、撮影者がファインダーを覗く方法が違うので、カメラの姿勢差に応じて、カメラ横位置用の視線検出方法とカメラ縦位置用の視線検出方法とを切り替えることで、視線検出の精度を上げている。
【０００３】
また、カメラの姿勢情報により、例えば十字キーの釦の役割（上、下、右、左キー）を切り替えるカメラがある。
【特許文献１】特開平８−２４８５０３号公報
【発明の開示】
【発明が解決しようとする課題】
【０００４】
第一の課題は、撮影しながらカメラの姿勢が変わった場合は、カメラの姿勢は変わってもファインダーを覗いている撮影者の姿勢（ファインダーの覗き方）は変わっている可能性が低い。よって、その様な場合には、ファインダーを覗く撮影者の姿勢と視線検出方法が合わなくなり、撮影者の視線検出が正常に行われない可能性がある。
【０００５】
第二の課題は、撮影しながらカメラの姿勢がかわった場合は、カメラの姿勢は変わっても撮影者がカメラを持つ状態は、変わっていない可能性が高い。姿勢差により、操作釦の役割を切り替えているのは、撮影者がカメラを持つ状態に適するようにする為であるので、この場合、操作釦の役割を切り替えると逆に、操作しにくくなる可能性がある。
【０００６】
本発明は、以上の点に着目して成されたもので、カメラの姿勢により、オートフォーカス制御や視線検出方法を切り替えるカメラにおいて、オートフォーカス制御は、撮影釦のオン中でもカメラの姿勢に応じて切り替えるが、視線検出方法は、撮影釦オン中は、カメラの姿勢で切り替えない様にし、オートフォーカス制御は、連写中でも姿勢に応じたオートフォーカス制御ができ、視線検出は、連写中は連写開始時の姿勢に応じて視線検出するので、撮影者が連写中にファインダーを覗きながらカメラの姿勢を変えても視線検出を正常に行うことができるカメラを提供することを目的とする。
【課題を解決するための手段】
【０００７】
第一の課題を解決するために、カメラの姿勢を検出する姿勢検出手段を持ち、カメラの姿勢により、オートフォーカス制御や視線検出方法を切り替えるカメラにおいて、オートフォーカス制御は、撮影釦のオン中でもカメラの姿勢に応じて切り替えるが、視線検出方法は、撮影釦オン中は、カメラの姿勢で切り替えないことを特徴としたカメラ。
【０００８】
第二の課題を解決するために、カメラの姿勢を検出する姿勢検出手段を持ち、カメラの姿勢により操作釦の役割を切り替えるカメラにおいて、撮影準備釦のオン中又は、撮影釦のオン中は、撮影準備釦又は、撮影釦がオンされたときの姿勢情報を維持して、姿勢差による操作釦の役割を切り替えないことを特徴としたカメラ。
【０００９】
なお、さらに詳細に説明すれば、本発明は下記の構成によって前記課題を解決できた。
【００１０】
（１）カメラの姿勢を検出する姿勢検出手段を持ち、カメラの姿勢により少なくとも２つ以上の複数の操作を切り替えるカメラにおいて、撮影釦オン中は上記複数の操作のうち、任意の操作のみ撮影釦がオンされたときの姿勢情報を維持して、姿勢差による操作の切り替えを禁止することを特徴としたカメラ。
【００１１】
（２）カメラの姿勢により、オートフォーカス制御や視線検出方法を切り替える前記（１）のカメラにおいて、オートフォーカス制御は、撮影釦のオン中でもカメラの姿勢に応じて切り替えるが、視線検出方法は、撮影釦オン中は、カメラの姿勢で切り替えないことを特徴としたカメラ。
【００１２】
（３）カメラの姿勢により、オートフォーカス制御や操作釦の役割を切り替える前記（１）のカメラにおいて、オートフォーカス制御は、撮影釦のオン中でもカメラの姿勢に応じて切り替えるが、操作釦の役割は、撮影釦オン中は、カメラの姿勢で切り替えないことを特徴としたカメラ。
【００１３】
（４）カメラの姿勢を検出する姿勢検出手段を持ち、カメラの姿勢により操作釦の役割を切り替えるカメラにおいて、撮影準備釦のオン中又は、撮影釦のオン中は、撮影準備釦又は、撮影釦がオンされたときの姿勢情報を維持して、姿勢差による操作釦の役割を切り替えないことを特徴としたカメラ。
【発明の効果】
【００１４】
本発明は、カメラの姿勢により、オートフォーカス制御や視線検出方法を切り替えるカメラにおいて、オートフォーカス制御は、撮影釦のオン中でもカメラの姿勢に応じて切り替えるが、視線検出方法は、撮影釦オン中は、カメラの姿勢で切り替えない（撮影釦オン時の姿勢で視線検出する）ので、オートフォーカス制御は、連写中でも姿勢に応じたオートフォーカス制御ができ、視線検出は、連写中は連写開始時の姿勢に応じて視線検出するので、撮影者が連写中にファインダーを覗きながらカメラの姿勢を変えても視線検出を正常に行うことができる。
【００１５】
また、カメラの姿勢を検出して、カメラの姿勢により操作釦の役割を切り替えるカメラにおいて、撮影準備釦のオン中は、撮影釦がオンされたときの姿勢情報を維持して、姿勢差による操作釦の役割を切り替えないので、撮影者がカメラを持つ状態に適するボタン操作を提供できる。
【発明を実施するための最良の形態】
【００１６】
以下本発明を実施するための最良の形態を、実施例により詳しく説明する。
【実施例１】
【００１７】
図１は、本発明の概略構成ブロック図である。
【００１８】
図１において、１はシステム制御部であり、後述する撮像部制御回路、メモリ制御部、モータ制御回路、シャッター制御回路、ミラー制御回路、測光回路、焦点検出回路、液晶表示部、画像表示部、操作部、視線検出回路、姿勢検出回路と通信を行いシステム全体の制御を行っている。
【００１９】
２は撮像部であり、撮像素子（ＣＣＤ等）等の撮像に関するモジュール群である。
【００２０】
３は撮像部制御回路であり、撮像素子（ＣＣＤ等）の駆動等の制御を行う。
【００２１】
４は一時記憶領域である前バッファメモリである。
【００２２】
５は２で撮影された画像データとその画像情報をもとに画像処理を行う画像処理部である。７は処理された画像を蓄積する後バッファメモリである。
【００２３】
６は前バッファメモリ４と後バッファメモリ７とハードディスク９を制御するメモリ制御部である。
【００２４】
８は画像処理後の画像データを後バッファメモリからハードディスク９に記憶させるためのインターフェース（Ｉ／Ｆ）である。
【００２５】
９は画像データを記憶するハードディスクである。
【００２６】
１０は不図示のシャッターをチャージ等する為のモータを駆動するモータ制御回路である。
【００２７】
１１はシステム制御部からの信号に従って、不図示のシャッターの先幕やシャッターの後幕を走行させ、撮像素子に被写体からの光を露光させる為のシャッター制御回路である。
【００２８】
１２は不図示のミラーをシステム制御部からの指示に従い、アップ又は、ダウンさせるミラー制御回路である。
【００２９】
１３は不図示の測光センサからの出力をシステム制御部に出力する為の測光回路である。
【００３０】
１４は不図示のフォーカス検出用センサを蓄積制御、読み出し制御を行って、フォーカスの画像情報をシステム制御部に出力する。システム制御部は、周知の位相差検出方法により焦点検出を行い、脱着可能なレンズ内部にある２０のレンズ制御回路と通信を行いレンズの駆動をし、焦点調節を行う。
【００３１】
１５はカメラのシャッター秒時、絞り値等の設定表示等やカメラの各種情報を表示する液晶表示部である。
【００３２】
１６は撮影された画像を表示する為の画像表示部で、画像の他にも液晶表示部で表示されない細かいカメラ情報等を表示していて、表示する為の図３のＴＦＴを制御している。
【００３３】
１７は図２及び図３で表記している各種ボタンやスイッチ、ダイヤルの検出をしている操作部である。ダイヤルは位相差検出タイプで回転数と回転方向が判る仕組みとなっている。
【００３４】
また、図２のシャッターボタンも操作部に接続されているが、このシャッターボタンは２段階のストロークスイッチとなっていて、カメラの動作では、この第一ストローク（測光／ＡＦ開始ＳＷ）で測光とＡＦを開始し、第二ストローク（撮影操作ＳＷ）で撮影動作を開始する。
【００３５】
１８は視線検出回路で、不図示の視線検出用エリアセンサの蓄積と読み出しをシステム制御部からの信号に従って行い、各画素の画素出力アナログ信号をシステム制御部に送る。システム制御部は、このアナログ信号をＡ／Ｄ変換し、それぞれの画素情報により、視線検出に必要な眼球像の各特徴点を所定のアルゴリズムに従って抽出し、さらに各特徴点の位置から撮影者の眼球の回転角を算出する。
【００３６】
１９は姿勢検出回路で、フォトリフレクターと可動可能な鉄球とで構成されており、カメラの姿勢を電気的に検出する。
【００３７】
２０は不図示の脱着可能なレンズ内部にあるレンズ制御回路で、カメラ内部であるシステム制御部からの指示に従い、レンズ内部の焦点調節や絞り駆動を行う。
【００３８】
図２は、カメラ上面図で、カメラの操作釦や表示部分、カメラ横位置用のＦＥロックボタン、シャッターボタン、メイン電子ダイヤルの位置を示している。
【００３９】
図３は、カメラ背面図とカメラ側面図で、カメラの操作釦やＴＦＴ表示部、カメラ横位置用のアシストボタン、ＡＥロックボタン、ＡＦフレーム選択ボタンとカメラ縦位置用のＦＥロックボタン、シャッターボタン、メイン電子ダイヤル、アシストボタン、ＡＥロックボタン、ＡＦフレーム選択ボタンの配置を示している。
【００４０】
図４、５、６、７は、カメラの動作を示すフローチャートであり、このフローチャートにより動作説明を行う。
【００４１】
図４のＳ００１において、カメラはレジスタの初期化やデータの初期化、及び周辺回路の初期化等の初期設定を行う。
【００４２】
Ｓ００２において、姿勢検出回路によりカメラの姿勢を検出する。検出する姿勢は、図９に示すカメラ横位置、カメラ縦位置（グリップ下）、カメラ縦位置（グリップ上）とそれ以外のカメラの姿勢である。
【００４３】
Ｓ００３において、図２及び、図３に示す設定ボタンやシャッターボタン、メイン電子ダイヤル、サブ電子ダイヤル等の状態検出を行う。
【００４４】
Ｓ００４において、測光／ＡＦ開始ＳＷがオフならば、Ｓ０１５へ移行し、オンならばＳ００５へ移行する。
【００４５】
Ｓ００５において、測光／ＡＦ開始ＳＷがオフからオンへ変化が有ったらなら、Ｓ００６へ移行し、そうでなければ、Ｓ００８へ移行する。
【００４６】
Ｓ００６において、測光／ＡＦ開始ＳＷがオフからオンになった時のカメラの姿勢情報を記憶する。
【００４７】
Ｓ００７において、カメラの姿勢に応じて、視線検出を行う。ここで、図５を使用して視線検出方法を詳細に説明する。
【００４８】
図５のＳ１０１において、図４のＳ００６で記憶した姿勢情報で、カメラの姿勢が縦位置ならば、Ｓ１０２へ移行し、そうでなければ、Ｓ１０３へ移行する。
【００４９】
Ｓ１０２において、縦位置目用のＩＲＥＤ（赤外線を出力するＬＥＤ）を点灯する。
【００５０】
Ｓ１０３において、横位置目用のＩＲＥＤを点灯する。
【００５１】
Ｓ１０４において、視線検出用のエリアセンサの蓄積制御を行う。蓄積が終了したら、Ｓ１０５へ移行する。
【００５２】
Ｓ１０５において、点灯しているＩＲＥＤの消灯を行う。
【００５３】
Ｓ１０６において、センサからの蓄積データを読み込む。
【００５４】
Ｓ１０７において、センサ出力データを使用して、眼球像の各特徴点を所定のアルゴリズムに従って抽出し、さらに各特徴点の位置から撮影者の眼球の回転角を算出し撮影者がファインダー内のどの部分を注視しているか検出する。そしてこのサブルーチンをリターンする。
【００５５】
よって、この視線検出ルーチンでは、測光／ＡＦ開始ＳＷのオン時の姿勢情報を基に視線検出用のＩＲＥＤを点灯させている。
【００５６】
図４に戻って、Ｓ００８において、オートフォーカス制御を行うための測距を行う。ここで、図６を使用して詳細に説明する。
【００５７】
図６のＳ２０１において、ＡＦセンサの蓄積制御を行う。蓄積制御後に、Ｓ２０２に移行する。
【００５８】
Ｓ２０２において、センサからの信号の読み出しを行う。
【００５９】
Ｓ２０３において、図８の測距点（Ａ〜Ｅ）毎に、信頼性の重み付けを１に設定する。信頼性の重み付けは、１が標準となり、１より小さいと信頼性が低くなり、１より大きいと信頼性が高くなる。
【００６０】
Ｓ２０４において、カメラの姿勢が縦位置のグリップ上ならば、Ｓ２０５へ移行し、そうでなければ、Ｓ２０６へ移行する。
【００６１】
Ｓ２０５において、測距点Ａの重み付けを０．５に設定し、その他の測距点（Ｂ〜Ｅ）の重み付けを１に設定する。
【００６２】
Ｓ２０６において、カメラの姿勢が縦位置のグリップ下ならば、Ｓ２０７へ移行し、そうでなければ、Ｓ２０８へ移行する。
【００６３】
Ｓ２０７において、測距点Ｅの重み付けを０．５に設定し、その他の測距点（Ａ〜Ｄ）の重み付けを１に設定する。
【００６４】
Ｓ２０８において、センサ出力から各測距点の像データから、所定の位相差検出方法（相関演算等）により、各測距点の相関量を求める。
【００６５】
Ｓ２０９において、各測距点の信頼性の重み付けと相関量から信頼性を判定し、更にＳ２１０において、所定の演算により、低コントラスト判定を行う。
【００６６】
Ｓ２１１において、相関量、信頼性判定と低コントラスト判定より、各測距点の合焦判定を行い、視線により指定された測距点が合焦していれば、合焦表示を表示し、合焦していなければ、レンズを駆動する為の測距点を視線データ（視線検出により決定した測距点）や信頼性データ、低コントラストデータから決定し、駆動量を決定する。ここで、信頼性が低ければ、レンズ駆動するための測距点として、選択されなくなる為、縦位置の場合は、画面下側の測距点が、選択される可能性が低くなる。
【００６７】
そして、Ｓ２１１の作業を終了するとリターンされる。
【００６８】
図４に戻って、図４のＳ００９において、Ｓ００８の結果、合焦と判定された場合は、レンズ駆動はせず、非合焦と判定された場合は、Ｓ００８により決定されたレンズ駆動量に従って、レンズを駆動させる。
【００６９】
Ｓ０１０において、測光センサ出力を基に、所定のアルゴリズムでシャッター秒時（ＣＣＤ蓄積時間）、絞り値等を決定するための測光演算処理を行う。
【００７０】
Ｓ０１１において、測光演算等により求められたシャッター秒時、絞り値等、カメラの情報を表示部により、表示する。
【００７１】
Ｓ０１２において、撮影操作ＳＷがオンならば、Ｓ０１３のレリーズ動作へ移行し、そうでなければ、Ｓ０１４へ移行する。
【００７２】
ここで、レリーズを図７により詳細に説明する。
【００７３】
図７のＳ３０１において、レリーズ開始時のカメラ姿勢として、現在のカメラの姿勢を記憶する。
【００７４】
Ｓ３０２において、ミラー制御回路に指示を出し、ミラーアップを開始しミラーアップ完了後にＳ３０３に移行する。
【００７５】
Ｓ３０３において、イメージセンサーの蓄積を開始する。
【００７６】
Ｓ３０４において、シャッター先幕を走行させて、露光を開始し、シャッター秒時後にシャッター後幕を走行させる。
【００７７】
Ｓ３０５において、シャッターの後幕走行完了するまでループする。
【００７８】
Ｓ３０６において、イメージセンサーの蓄積を終了する。
【００７９】
Ｓ３０７において、ミラー制御回路、モータ制御回路に指示を出し、ミラーダウン及び、シャッターチャージを開始する。
【００８０】
Ｓ３０８において、イメージセンサーの信号読み出し処理を行う。
【００８１】
Ｓ３０９において、信号補正処理では、読み出した信号に補正処理を行う。
【００８２】
Ｓ３１０において、画像圧縮処理では、補正処理後の信号（画像信号）を所定の方法により圧縮を行う。
【００８３】
Ｓ３１１において、ヘッダー情報の作成を行う。
【００８４】
Ｓ３１２において、ヘッダー情報や画像信号等から、画像ファイルを作成する。
【００８５】
Ｓ３１３において、作成した画像ファイルをハードディスクに書き込む。
【００８６】
Ｓ３１４において、撮影操作ＳＷがオフならばＳ３１５に移行し、そうでなければ、Ｓ３１６に移行する。
【００８７】
Ｓ３１５において、連写中であることを記憶する為の変数ＣＯＮＴ＿Ｆに０を入力し、連写中でないこととし、リターンする。ここまでのフローは、３０１〜３１５。
【００８８】
Ｓ３１６において、連写中であることを記憶する為の変数ＣＯＮＴ＿Ｆに１を入力し、連写中であることを記憶する。
【００８９】
Ｓ３１７において、カメラの姿勢を検出する。
【００９０】
Ｓ３１８において、設定ボタンやシャッターボタン、メイン電子ダイヤル、サブ電子ダイヤル等の状態検出を行う。
【００９１】
Ｓ３１９において、視線の検出を行う（図５で説明済みの為、詳細は省く）。
【００９２】
Ｓ３２０において、オートフォーカス制御を行うための測距を行う（図６で説明済みの為、詳細は省く）。
【００９３】
Ｓ３２１において、Ｓ３２０の結果、合焦と判定された場合は、レンズ駆動はせず、非合焦と判定された場合は、Ｓ３２０により決定されたレンズ駆動量に従って、レンズを駆動させる。
【００９４】
Ｓ３２２において、測光センサ出力を基に、所定のアルゴリズムでシャッター秒時（ＣＣＤ蓄積時間）、絞り値等を決定するための測光演算処理を行う。
【００９５】
Ｓ３２３において、測光演算等により求められたシャッター秒時、絞り値等、カメラの情報を表示部により、表示し、Ｓ３０２へ移行して、連続撮影に入る。
【００９６】
図４のＳ０１４に戻って、測光／ＡＦ開始ＳＷがオンならば、Ｓ００２へ移行し、オフならばＳ０１５へ移行する。
【００９７】
Ｓ０１５において、カメラの動作を終了させるために、周辺回路への電源オフの指示やデータの退避等の終了設定を行い、動作を終了する。
【００９８】
以上が、実施例１の説明である。
【実施例２】
【００９９】
実施例２は、図１（概略構成ブロック図）、図２（カメラ上面図）、図３（カメラ背面図とカメラ側面図）、図１０（姿勢差別スイッチ状態を示すカメラ側面図）、図１１（カメラメインフローチャート図）、図１２（姿勢差別スイッチ設定のフローチャート図）である。
【０１００】
図１、２、３は実施例１で説明した通りなので、説明を省略する。
【０１０１】
図１０は、カメラ側面図で姿勢差別でのＳＷの役割を示している。
【０１０２】
姿勢差は、カメラで判断してカメラが横位置の場合は、横位置用シャッターボタンをシャッターボタンとして割り当て、縦位置用シャッターボタンを、ＡＦロックボタンとして割り当てている。そして、カメラが縦位置の場合は、横位置用シャッターボタンをＡＦロックボタンとして割り当て、縦位置用シャッターボタンをシャッターボタンとして割り当てている。また、シャッターボタンは、２段階のＳＷとなっているので、姿勢が横位置の場合を詳細に説明すると、図９で示すように、姿勢が横位置の場合は、横位置用シャッターボタンの１段階目のＳＷは、測光／ＡＦ開始ＳＷ、横位置用シャッターボタンの２段階目のＳＷは、撮影操作ＳＷとして扱われ、縦位置用シャッターボタンの１段階目のＳＷは、ＡＦロックＳＷ、縦位置用シャッターボタンの２段階目のＳＷは、未使用のＳＷとして扱われる。
【０１０３】
図１１、１２のフローチャートよりカメラの動作説明を行う。
【０１０４】
図１１のＳ４０１において、カメラはレジスタの初期化やデータの初期化、及び周辺回路の初期化等の初期設定を行う。
【０１０５】
Ｓ４０２において、姿勢検出回路によりカメラの姿勢を検出する。検出する姿勢は、図９に示すカメラ横位置、カメラ縦位置（グリップ下）、カメラ縦位置（グリップ上）とそれ以外のカメラの姿勢である。
【０１０６】
Ｓ４０３において、図２及び、図３に示す設定ボタンやシャッターボタン、メイン電子ダイヤル、サブ電子ダイヤル等の状態検出を行う。
【０１０７】
Ｓ４０４において、Ｓ４０２で検出したカメラの姿勢情報を基に、姿勢差別スイッチ設定を行う。ここで、姿勢差別スイッチ設定を図１２により詳細に説明する。
【０１０８】
図１２のＳ５０１において、前回のスイッチ情報で測光／ＡＦ開始ＳＷがオンならば、Ｓ５０２へ移行し、そうでなければＳ５０３へ移行する。
【０１０９】
Ｓ５０２において、記憶している姿勢情報でカメラが縦位置ならばＳ５０５へ移行し、そうでなければＳ５０６へ移行する。
【０１１０】
Ｓ５０３において、姿勢検出による姿勢情報でカメラが縦位置ならばＳ５０５へ移行し、そうでなければ、Ｓ５０４へ移行する。
【０１１１】
Ｓ５０４において、図９の横位置用シャッターボタンの１段階目のＳＷ（以降、横位置用１段階ＳＷと省略）＝測光／ＡＦ開始ＳＷ。横位置用シャッターボタンの２段階目のＳＷ（以降、横位置用２段階ＳＷと省略）＝撮影操作ＳＷ。縦位置用シャッターボタンの１段階目のＳＷ（以降、縦位置用１段階ＳＷと省略）＝ＡＦロックＳＷ。縦位置用シャッターボタンの２段階目のＳＷ（以降、縦位置用２段階ＳＷと省略）＝未使用ＳＷ。にスイッチを置き換える。
【０１１２】
Ｓ５０５において、縦位置用１段階ＳＷ＝測光／ＡＦ開始ＳＷ。縦位置用２段階ＳＷ＝撮影操作ＳＷ。横位置用１段階ＳＷ＝ＡＦロックＳＷ。横位置用２段階ＳＷ＝未使用のＳＷ。にスイッチを置き換える。
【０１１３】
Ｓ５０６において、横位置用１段階ＳＷ＝測光／ＡＦ開始ＳＷ。横位置用２段階ＳＷ＝撮影操作ＳＷ。縦位置用１段階ＳＷ＝ＡＦロックＳＷ。縦位置用２段階ＳＷ＝未使用のＳＷ。にスイッチを置き換える。
【０１１４】
Ｓ５０７において、測光／ＡＦ開始ＳＷがオフからオンに変化していたら、Ｓ５０８へ移行し、そうでなければ、リターンする。
【０１１５】
Ｓ５０８において、姿勢検出で得られた姿勢情報を記憶し、リターンする。
【０１１６】
図１１に戻って、Ｓ４０５において、測光／ＡＦ開始ＳＷがオフならば、Ｓ４１４へ移行し、オンならばＳ４０６へ移行する。
【０１１７】
Ｓ４０６において、オートフォーカス制御を行うための測距を行う。
【０１１８】
Ｓ４０７において、ＡＦロックＳＷがオンならば、Ｓ４０９へ移行し、そうでなければＳ４０８へ移行する。
【０１１９】
Ｓ４０８において、Ｓ４０６の結果、合焦と判定された場合は、レンズ駆動はせず、非合焦と判定された場合は、Ｓ４０６により決定されたレンズ駆動量に従って、レンズを駆動させる。
【０１２０】
Ｓ４０９において、測光センサ出力を基に、所定のアルゴリズムでシャッター秒時（ＣＣＤ蓄積時間）、絞り値等を決定するための測光演算処理を行う。
【０１２１】
Ｓ４１０において、測光演算等により求められたシャッター秒時、絞り値等、カメラの情報を表示部により、表示する。
【０１２２】
Ｓ４１１において、撮影操作ＳＷがオンならば、Ｓ４１２のレリーズ動作へ移行し、そうでなければ、Ｓ４１３へ移行する。
【０１２３】
Ｓ４１２において、撮影を行う為のミラーアップ、シャッター駆動、ＣＣＤ蓄積、ミラーダウン、ＣＣＤの信号読み出し、シャッターチャージ、画像信号処理等、周知の撮影動作を行う。
【０１２４】
Ｓ４１３において、測光／ＡＦ開始ＳＷがオンならば、Ｓ４０２へ移行し、オフならばＳ４１４へ移行する。
【０１２５】
Ｓ４１４において、カメラの動作を終了させるために、周辺回路への電源オフの指示やデータの退避等の終了設定を行い、動作を終了する。
【０１２６】
以上が、実施例２の説明である。
【図面の簡単な説明】
【０１２７】
【図１】実施例１，２の概略構成ブロック図
【図２】実施例１，２のカメラの上面図
【図３】実施例１，２のカメラの背面図と側面図
【図４】実施例１のメインフローチャート図
【図５】実施例１の視線検出のフローチャート図
【図６】実施例１の測距のフローチャート図
【図７】実施例１の撮影動作のフローチャート図
【図８】実施例１の撮影画面と測距点の関係図
【図９】実施例１のカメラ姿勢図
【図１０】実施例２のカメラ側面図（姿勢差別ＳＷ役割図）
【図１１】実施例２のメインフローチャート図
【図１２】実施例２の姿勢差別スイッチ設定を示す図
【符号の説明】
【０１２８】
１  システム制御部
２  撮像部
３  撮像部制御回路
４  前バッファメモリ
５  画像処理部
６  メモリ制御部
７  後バッファメモリ
８  インターフェース（Ｉ／Ｆ）
９  ハードディスク
１０  モータ制御回路
１１  シャッター制御回路
１２  ミラー制御回路
１３  測光回路
１４  焦点検出回路
１５  液晶表示部
１６  画像表示部
１７  操作部
１８  視線検出回路
１９  姿勢検出回路
２０  レンズ制御回路
【図１】
2005227448.tif 000003
【図２】
2005227448.tif 000004
【図３】
2005227448.tif 000005
【図４】
2005227448.tif 000006
【図５】
2005227448.tif 000007
【図６】
2005227448.tif 000008
【図７】
2005227448.tif 000009
【図８】
2005227448.tif 000010
【図９】
2005227448.tif 000011
【図１０】
2005227448.tif 000012
【図１１】
2005227448.tif 000013
【図１２】
2005227448.tif 000014